(57)【要約】【課題】異なる色の光を同時に明瞭に発光させることが可能な遊技機の電飾装置を提供する。【解決手段】右フィーバーランプ２００の透光部材２３０は、ランプ空間Ｓ内においてランプ基板２１０と略平行な板状に形成された第１透光部２３１と、ランプ空間Ｓ内において第２電飾用ＬＥＤ２１２の光軸方向に延びる柱状に形成された第２透光部２３３ａ〜２３３ｃとを有し、第１透光部２３１は、第１電飾用ＬＥＤ２１１からの光を拡散させる拡散面２３２を有し、第２透光部２３３ａ〜２３３ｃの前側は、第１透光部２３１の前面から突出してインナーカバー２４０まで延伸し、インナーカバー２４０の抜き穴部２４２ａ〜２３４ｃに挿通され、第２透光部２３３ａ〜２３３ｃの後側は、第１透光部２３１の背面から突出して第２電飾用ＬＥＤ２１２の近傍まで延伸し、ランプハウスブラケット２２０に形成された内壁部２２８ａ〜２２８ｃの内側に挿入される。【選択図】図４
2014094109.tif 000002
【特許請求の範囲】
【請求項１】
前方に開口を有する本体部材と、前記本体部材に対して前記開口を開閉可能に取り付けられた開閉部材とを備えた遊技機の電飾装置であって、
一方を向いて配設された第１発光体および第２発光体を有するランプ基板と、
前記ランプ基板の前記一方側を囲むように前記ランプ基板を保持して前記開閉部材の前面側に取り付けられるベース部材と、
前記ベース部材に囲まれて前記ランプ基板の前記一方側に形成されたランプ空間内に配設され、前記第１発光体および前記第２発光体で発光した光が透過する透光部材と、
前記ランプ空間の前記一方側を覆って前記透光部材からの光が透過するランプカバーとを備え、
前記ベース部材は、前記ランプ基板の前記一方側を囲んで前記ランプ空間を形成する外壁部と、前記外壁部に囲まれた前記ランプ空間内で前記第２発光体の前記一方側を囲む内壁部とを有し、
前記透光部材は、前記ランプ空間内において前記ランプ基板と略平行な板状に形成された第１透光部と、前記ランプ空間内において前記第２発光体の光軸方向に延びる柱状に形成された第２透光部とを有し、
前記第１透光部は前記第１発光体からの光を拡散させる拡散面を有し、
前記第２透光部の前記一方側は前記第１透光部の前記一方の面から突出して前記ランプカバーもしくは前記ランプカバーの近傍まで延伸し、前記第２透光部の他方側は前記第１透光部の前記他方の面から突出して前記第２発光体の近傍まで延伸し前記内壁部の内側に挿入されることを特徴とする遊技機の電飾装置。
【請求項２】
前記第２透光部の前記他方側の端面に溝部が形成されていることを特徴とする請求項１に記載の遊技機の電飾装置。
【請求項３】
前記ランプカバーは、前記ランプ空間の前記一方側を覆う有色半透明のインナーカバーと、前記インナーカバーの前記一方側を覆う透明もしくは半透明のアウターカバーとからなり、
前記インナーカバーにおける前記第２透光部と対向する部分に、抜き穴部が形成され、
前記第２透光部の前記一方側が前記インナーカバーまで延伸して前記抜き穴部に挿通されることを特徴とする請求項１または２に記載の遊技機の電飾装置。
【発明の詳細な説明】
【技術分野】
【０００１】
本発明は、スロットマシン等の遊技機に用いられる電飾装置に関する。
【背景技術】
【０００２】
スロットマシン等の遊技機には、電飾装置や化粧板等の装飾部品が取り付けられている（例えば、特許文献１および特許文献２を参照）。スロットマシンの電飾装置は、前面扉に取り付け固定されたランプ基板と、ランプ基板を覆うようにして前面扉に取り付けられたランプカバーとを有して構成され、ランプ基板には、発光体として複数の発光ダイオード（以下、ＬＥＤとも称する）が配設される。発光ダイオードの一例として、発光色を変えることが可能なフルカラーＬＥＤがあり、複数のフルカラーＬＥＤを用いて異なる色の光を発光させるようにすれば、より多彩な演出を行うことができる。
【先行技術文献】
【特許文献】
【０００３】
【特許文献１】特開２００８−２４５７５５号公報
【特許文献２】特開２０００−３２２６２１号公報
【発明の概要】
【発明が解決しようとする課題】
【０００４】
しかしながら、２色以上の光を互いに近接する発光体で同時に発光させようとすると、異なる色の光が互いに干渉してぼけた感じになる。
【０００５】
本発明は、このような課題に鑑みてなされたものであり、異なる色の光を同時に明瞭に発光させることが可能な遊技機の電飾装置を提供することを目的とする。
【課題を解決するための手段】
【０００６】
このような目的達成のため、本発明に係る遊技機の電飾装置は、前方に開口を有する本体部材と、前記本体部材に対して前記開口を開閉可能に取り付けられた開閉部材とを備えた遊技機の電飾装置であって、一方を向いて配設された第１発光体および第２発光体を有するランプ基板と、前記ランプ基板の前記一方側を囲むように前記ランプ基板を保持して前記開閉部材の前面側に取り付けられるベース部材と、前記ベース部材に囲まれて前記ランプ基板の前記一方側に形成されたランプ空間内に配設され、前記第１発光体および前記第２発光体で発光した光が透過する透光部材と、前記ランプ空間の前記一方側を覆って前記透光部材からの光が透過するランプカバーとを備えている。また、前記ベース部材は、前記ランプ基板の前記一方側を囲んで前記ランプ空間を形成する外壁部と、前記外壁部に囲まれた前記ランプ空間内で前記第２発光体の前記一方側を囲む内壁部とを有し、前記透光部材は、前記ランプ空間内において前記ランプ基板と略平行な板状に形成された第１透光部と、前記ランプ空間内において前記第２発光体の光軸方向に延びる柱状に形成された第２透光部とを有し、前記第１透光部は前記第１発光体からの光を拡散させる拡散面を有し、前記第２透光部の前記一方側は前記第１透光部の前記一方の面から突出して前記ランプカバーもしくは前記ランプカバーの近傍まで延伸し、前記第２透光部の他方側は前記第１透光部の前記他方の面から突出して前記第２発光体の近傍まで延伸し前記内壁部の内側に挿入されるようになっている。
【発明の効果】
【０００７】
本発明によれば、簡便な構成で、異なる色の光を同時に明瞭に発光させることができる。
【図面の簡単な説明】
【０００８】
【図１】スロットマシンの前面扉を示す分解斜視図である。
【図２】スロットマシンの内部構造を示す正面図である。
【図３】スロットマシンの前面扉を示す背面図である。
【図４】右フィーバーランプを前方から見た分解斜視図である。
【図５】右フィーバーランプを後方から見た分解斜視図である。
【図６】ランプベースを前方から見た斜視図である。
【図７】透光部材を後方から見た斜視図である。
【図８】右フィーバーランプの側断面図である。
【図９】右フィーバーランプが前面扉に取り付けられた状態を示す側断面図である。
【図１０】前面扉の右上部を示す平断面図である。
【図１１】前面扉の上部を分解した斜視図である。
【図１２】前面扉の右上部を示す側断面図である。
【図１３】（ａ）（ｂ）ともに前面扉の右上部を示す斜視図である。
【図１４】前面扉の下部を分解した斜視図である。
【図１５】前面扉の右下部を示す側断面図である。
【図１６】前面扉から演出表示装置を取り外した状態を示す分解斜視図である。
【図１７】演出表示装置の分解斜視図である。
【図１８】演出表示装置の分解斜視図である。
【図１９】（ａ）は演出表示装置の平断面図であり、（ｂ）は演出表示装置の側面図である。
【図２０】基板ケースユニットの斜視図である。
【図２１】基板ケースユニットの側面図である。
【図２２】基板ケースユニットの背面図である。
【図２３】基板ケースユニットの平面図である。
【図２４】（ａ）は演出制御基板ケースが画像制御基板ケースの背面側に平行に重なった状態を示す斜視図であり、（ｂ）は演出制御基板ケースが画像制御基板ケースの背面側に平行に重なった状態を示す側面図である。
【図２５】画像制御基板ケースを前方から見た分解斜視図である。
【図２６】画像制御基板ケースを後方から見た分解斜視図である。
【図２７】演出制御基板ケースを後方から見た分解斜視図である。
【図２８】（ａ）は基板ケースユニットにおいて軸カバー部材を取り外した状態を示す部分拡大図であり、（ｂ）は基板ケースユニットにおいて軸カバー部材を取り付けた状態を示す部分拡大図である。
【発明を実施するための形態】
【０００９】
以下、本発明の好ましい実施形態について図面を参照して説明する。まず、図１〜図３を参照しながら、遊技機の実施形態としてスロットマシンＳＭの概要について説明する。なお、本実施形態において、図１の各矢印で示す方向をそれぞれ、上下方向、前後方向、左右方向として説明する。スロットマシンＳＭは、図２に示す箱状の基体部１０と、図１に示す前面扉２０とを主体に構成される。基体部１０は前方に開口１０ａを有する箱状に形成され、基体部１０の前部に前面扉２０が取り付けられる。前面扉２０は、不図示のヒンジ機構を用いて基体部１０の左前部に枢支され、基体部１０の開口１０ａを揺動開閉可能に構成される。
【００１０】
図２に示すように、基体部１０の内部中央には、３つのリール１２ａ，１２ｂ，１２ｃを備えるリールユニット１１が設けられ、前面扉２０に設けられたリール表示窓２２を通して３つのリール１２ａ，１２ｂ，１２ｃに描かれている図柄を視認することができるようになっている。基体部１０の内部下側には、スロットマシンＳＭに搭載された種々の装置に電源を供給する電源ユニット１３や、メダルを貯留しておくホッパーを備えるメダル払出装置１４が設けられている。基体部１０内の内部上側には、スロットマシンＳＭで行われる遊技を全体的に制御するメイン制御装置１５が設けられている。
【００１１】
図１に示すように、前面扉２０には前面枠２１が形成されており、前面枠２１の略中央部にリール表示窓２２が形成されている。前面扉２０の前面側中央には、リール表示窓２２の下方に位置して操作パネル２３が設けられている。操作パネル２３の前面側には、スタートスイッチ２４、および３つのストップスイッチ２５ａ，２５ｂ，２５ｃが設けられている。操作パネル２３の上面側には、各種ベットスイッチ２６、各種演出操作スイッチ２７、およびメダル投入口２８が設けられている。また、前面扉２０の前面側中央には、リール表示窓２２の左方に位置して演出表示装置４００が設けられている。
【００１２】
前面扉２０の前面側上部には、所定の演出画像を表示する画像表示装置３０、および左右のフィーバーランプ１００，２００が設けられている。前面扉２０の前面側下部には、疑似スピーカーユニット３００、およびメダル払出装置１４から払い出されたメダルが貯留される受け皿３４が設けられている。
【００１３】
前面扉２０が基体部１０の開口１０ａを閉じた状態では、前面扉２０の背面側が基体部１０の内部側に位置する。この前面扉２０の背面側には、制御ユニット５００、左右の上部スピーカーユニット４０，４５、左右のサブスピーカーユニット５０，５５、および左右の下部スピーカーユニット６０，６５が設けられている。
【００１４】
次に、前面扉２０の前面側上部に設けられた左右のフィーバーランプ１００，２００について、図４〜図１０を参照しながら説明する。なお、左右のフィーバーランプ１００，２００は同様の構成であるため、左フィーバーランプ１００の詳細な説明を省略し、右フィーバーランプ２００について詳細な説明を行う。右フィーバーランプ２００は、図４および図５に示すように、ランプ基板２１０と、ランプハウスブラケット２２０と、透光部材２３０と、インナーカバー２４０と、アウターカバー２５０とを有して構成される。
【００１５】
図４に示すように、ランプ基板２１０の表面側（前面側）には、透光部材２３０の第１透光部２３１を介して発光する複数の第１電飾用ＬＥＤ２１１，２１１，…と、透光部材２３０の第２透光部２３３ａ〜２３３ｃを介して発光する複数の第２電飾用ＬＥＤ２１２，２１２，…と、右上部スピーカーユニット４５の前方を照明するためのスピーカー照明用ＬＥＤ２１９とが設けられている。ランプ基板２１０は、サブ制御ユニット５００のサブ制御基板５０６（詳細は後述）と電気的に接続され、サブ制御基板５０６から出力されたランプ制御信号に基づいて、各ＬＥＤ２１１，２１２，２１９の発光制御を行う。第１電飾用ＬＥＤ２１１、第２電飾用ＬＥＤ２１２、およびスピーカー照明用ＬＥＤ２１９として、例えばマルチカラーＬＥＤ（Light  Emitting  Diode：発光ダイオード）が用いられる。また、ランプ基板２１０には、図５に示すように、複数のボス穴２１３，２１３，…がランプ基板２１０を貫通して形成されている。また、ランプ基板２１０の裏面側（背面側）には、第１電飾用ＬＥＤ２１１、第２電飾用ＬＥＤ２１２、およびスピーカー照明用ＬＥＤ２１９以外の各種回路部品２１４，２１４，…が設けられている。
【００１６】
ランプハウスブラケット２２０は、有色樹脂材料を用いて、図４および図５に示すように開口を有する箱形に形成され、ランプ基板２１０に対して略平行に延びる底板部２２１と、底板部２２１の外周部から略直角に延びる外壁部２２５とを有している。図５に示すように、底板部２２１の背面側には、ランプ基板２１０の複数のボス穴２１３，２１３，…にそれぞれ嵌合する複数のボス部２２４，２２４，…が設けられている。底板部２２１の各ボス部２２４，２２４，…をそれぞれランプ基板２１０のボス穴２１３，２１３，…に嵌合させて、ネジ等の固定部材（図示せず）によりランプ基板２１０を各ボス部２２４，２２４，…に取り付け固定することで、底板部２２１および外壁部２２５の後部によりランプ基板２１０の表面が覆われた状態で、ランプ基板２１０がランプハウスブラケット２２０（底板部２２１）の背面側に取り付けられる。
【００１７】
図５および図６に示すように、底板部２２１には、第１電飾用ＬＥＤ２１１をランプハウスブラケット２２０内のランプ空間Ｓに露出させる第１露出穴２２２が複数形成されている。また、底板部２２１の左側、右側、および下側には、ランプ基板２１０の左側、右側、および下側にそれぞれ設けられた第２電飾用ＬＥＤ２１２をランプハウスブラケット２２０内のランプ空間Ｓに露出させる左側第２露出穴２２３ａ、右側第２露出穴２２３ｂ、および下側第２露出穴２２３ｃが形成されている。底板部２２１における外壁部２２５の近傍には、インナーカバー２４０の内側係止片２４１を挿通させる穴部を有し、該穴部に挿通された内側係止片２４１が係止可能な内側係止部２２６が複数形成されている。
【００１８】
外壁部２２５は、図６に示すように、底板部２２１とともにランプ基板２１０の前方を囲んで、ランプハウスブラケット２２０の内部空間としてランプ空間Ｓを形成する。このランプ空間Ｓ内において、底板部２２１における左側第２露出穴２２３ａの周辺部に、底板部２２１の前面から略直角（前方）に延びる左側内壁部２２８ａが左側第２露出穴２２３ａを囲むように形成される。底板部２２１における右側第２露出穴２２３ｂの周辺部には、左側内壁部２２８ａと同様に右側内壁部２２８ｂが形成される。底板部２２１における下側第２露出穴２２３ｃの周辺部には、左側内壁部２２８ａと同様に下側内壁部２２８ｃが形成される。
【００１９】
外壁部２２５の外壁面には、アウターカバー２５０の外側係止片２５１が係止可能な突起状の外側係止部２２７が複数形成されている。なお、外壁部２２５には、ネジ等の固定部材（図示せず）により右フィーバーランプ２００を前面扉２０に取り付け固定するための取付ボス２２５ａが背面側に延びて形成されている。また、外壁部２２５の下部には、右フィーバーランプ２００を前面扉２０に仮固定するための下部係止片２２５ｂが背面側に延びて形成されている。また、ランプハウスブラケット２２０の下部には、スピーカー照明用ＬＥＤ２１９をランプ空間Ｓの外下方に露出させるスピーカー照明用開口部２２９が底板部２２１と外壁部２２５とに跨って形成されている。
【００２０】
透光部材２３０は、透明若しくは半透明の樹脂材料を用いて、図４および図５に示すように凹凸を有する板状に形成され、ランプハウスブラケット２２０のランプ空間Ｓ内に収容される。また、透光部材２３０は、ランプ空間Ｓ内においてランプ基板２１０と略平行な板状に形成された第１透光部２３１と、ランプ空間Ｓ内において第２電飾用ＬＥＤ２１２の光軸方向（前後方向）に延びる柱状に形成された３つの第２透光部２３３ａ〜２３３ｃと、第１透光部２３１の外周部から略直角に（後方に）延びる支持リブ２３５とを有している。
【００２１】
第１透光部２３１は、第１電飾用ＬＥＤ２１１から射出された光を透過させる。第１透光部２３１の表面（前面）には、第１電飾用ＬＥＤ２１１からの光を拡散させる微細な凹凸を有した拡散面２３２が形成される。また、第１透光部２３１は、図８〜図１０に示すように、透光部材２３０の外周部に設けられた支持リブ２３５により、ランプ空間Ｓ内においてランプ基板２１０（およびランプハウスブラケット２２０の底板部２２１）に対し所定間隔をおいて略平行になるように支持される。なお、支持リブ２３５には、図７に示すように、インナーカバー２４０の内側係止片２４１を通すための逃げ溝２３６が複数形成されている。
【００２２】
左側第２透光部２３３ａは、図４および図５に示すように、第１透光部２３１の左側に前後に突出して形成され、ランプ基板２１０の左側の第２電飾用ＬＥＤ２１２から射出された光を透過させる。図８および図９に示すように、左側第２透光部２３３ａの前部は、第１透光部２３１の表面（前面）から突出してインナーカバー２４０まで延伸し、インナーカバー２４０の左側抜き穴部２４２ａに挿通されるようになっている。一方、左側第２透光部２３３ａの後部は、第１透光部２３１の裏面（背面）から突出して第２電飾用ＬＥＤ２１２の近傍まで延伸し、左側内壁部２２８ａの内側に挿入されるようになっている。また、図７に示すように、第２電飾用ＬＥＤ２１２と対向する左側第２透光部２３３ａの後端面には、溝部２３４ａが形成されている。
【００２３】
右側第２透光部２３３ｂは、図４および図５に示すように、第１透光部２３１の右側に前後に突出して形成され、ランプ基板２１０の右側の第２電飾用ＬＥＤ２１２から射出された光を透過させる。図８および図９に示すように、右側第２透光部２３３ｂの前部は、第１透光部２３１の表面（前面）から突出してインナーカバー２４０まで延伸し、インナーカバー２４０の右側抜き穴部２４２ｂに挿通されるようになっている。右側第２透光部２３３ｂの後部は、第１透光部２３１の裏面（背面）から突出して第２電飾用ＬＥＤ２１２の近傍まで延伸し、右側内壁部２２８ｂの内側に挿入されるようになっている。また、図７に示すように、第２電飾用ＬＥＤ２１２と対向する右側第２透光部２３３ｂの後端面には、溝部２３４ｂが形成されている。
【００２４】
下側第２透光部２３３ｃは、図４および図５に示すように、第１透光部２３１の下側に前後に突出して形成され、ランプ基板２１０の下側の第２電飾用ＬＥＤ２１２から射出された光を透過させる。図８および図９に示すように、下側第２透光部２３３ｃの前部は、第１透光部２３１の表面（前面）から突出してインナーカバー２４０まで延伸し、インナーカバー２４０の下側抜き穴部２４２ｃに挿通されるようになっている。下側第２透光部２３３ｃの後部は、第１透光部２３１の裏面（背面）から突出して第２電飾用ＬＥＤ２１２の近傍まで延伸し、下側内壁部２２８ｃの内側に挿入されるようになっている。また、図７に示すように、第２電飾用ＬＥＤ２１２と対向する下側第２透光部２３３ｃの後端面には、溝部２３４ｃが形成されている。
【００２５】
図４および図５に示すように、インナーカバー２４０は、有色半透明の樹脂材料を用いてランプハウスブラケット２２０におけるランプ空間Ｓの前方を覆う蓋状に形成され、前面側に所定の装飾が施されている。インナーカバー２４０の外周部には、ランプハウスブラケット２２０の内側係止部２２６に係止可能な内側係止片２４１が複数形成される。インナーカバー２４０の各内側係止片２４１，２４１，…をそれぞれランプハウスブラケット２２０の内側係止部２２６，２２６，…に係止させることで、図８および図９に示すように、インナーカバー２４０がランプ空間Ｓの前方を覆ってランプハウスブラケット２２０に取り付けられる。インナーカバー２４０の左側には、左側第２透光部２３３ａの前部が挿通される左側抜き穴部２４２ａが形成される。インナーカバー２４０の右側には、右側第２透光部２３３ｂの前部が挿通される右側抜き穴部２４２ｂが形成される。インナーカバー２４０の下側には、下側第２透光部２３３ｃの前部が挿通される下側抜き穴部２４２ｃが形成される。
【００２６】
図４および図５に示すように、アウターカバー２５０は、透明の樹脂材料を用いてランプハウスブラケット２２０およびインナーカバー２４０の前方を覆う蓋状に形成される。アウターカバー２５０の外周部には、ランプハウスブラケット２２０の外側係止部２２７に係止可能な外側係止片２５１が複数形成される。アウターカバー２５０の各外側係止片２５１，２５１，…をそれぞれランプハウスブラケット２２０の外側係止部２２７，２２７，…に係止させることで、図８および図９に示すように、アウターカバー２５０がインナーカバー２４０の前方を覆ってランプハウスブラケット２２０に取り付けられる。
【００２７】
以上のように構成される右フィーバーランプ２００を組み立てるには、まず、ランプハウスブラケット２２０の各ボス部２２４，２２４，…をそれぞれランプ基板２１０のボス穴２１３，２１３，…に嵌合させて、ネジ等の固定部材（図示せず）によりランプ基板２１０を各ボス部２２４，２２４，…に取り付け固定する。これにより、ランプハウスブラケット２２０の底板部２２１および外壁部２２５の後部によりランプ基板２１０の表面（前面）が覆われた状態で、ランプ基板２１０がランプハウスブラケット２２０（底板部２２１）の背面側に取り付けられる。
【００２８】
次に、透光部材２３０をランプハウスブラケット２２０のランプ空間Ｓ内に収容する。なおこのとき、透光部材２３０の左側第２透光部２３３ａ、右側第２透光部２３３ｂ、および下側第２透光部２３３ｃの後部をそれぞれ、ランプハウスブラケット２２０の左側内壁部２２８ａ、右側内壁部２２８ｂ、および下側内壁部２２８ｃの内側に挿入する。次に、インナーカバー２４０の各内側係止片２４１，２４１，…をそれぞれランプハウスブラケット２２０の内側係止部２２６，２２６，…に係止させる。これにより、インナーカバー２４０がランプ空間Ｓの前方を覆ってランプハウスブラケット２２０に取り付けられる。次に、アウターカバー２５０の各外側係止片２５１，２５１，…をランプハウスブラケット２２０の外側係止部２２７，２２７，…に係止させる。これにより、アウターカバー２５０がインナーカバー２４０の前方を覆ってランプハウスブラケット２２０に取り付けられる。
【００２９】
このようにして、ランプ基板２１０を有する右フィーバーランプ２００が組み立てられる。そして、右フィーバーランプ２００を前面扉２０の右上部に前方から差し込んで、ネジ等の固定部材（図示せず）により前面扉２０の背面側から右フィーバーランプ２００を前面扉２０に対して固定することで、前面扉２０の右上部に右フィーバーランプ２００が取り付けられる。
【００３０】
従来のフィーバーランプは、前面扉に凹設された基板取付部にランプ基板が取り付けられ、当該ランプ基板を覆うように透光部材が前面扉に取り付けられる構成となっている。そのため、従来の遊技機では、フィーバーランプを前面扉に取り付ける際、ランプ基板と透光部材とを取り付けるごとに前面扉の向きを変える必要があり、遊技機の組立工数が増える一因となっている。
【００３１】
これに対し、本実施形態によれば、ランプハウスブラケット２２０における底板部２２１の背面側にランプ基板２１０が取り付けられ、底板部２２１の前方に形成されたランプ空間Ｓ内に透光部材２３０が収容されるため、ランプ基板２１０を含めて右フィーバーランプ２００をユニット化することが可能になる。これにより、右フィーバーランプ２００を前面扉２０の右上部に容易に取り付けることができるので、前面扉２０の組立工程と分けて、右フィーバーランプ２００の組立工程を進められることから、前面扉２０の組立工数すなわちスロットマシンＳＭの組立工数を低減させることが可能になり、スロットマシンＳＭの製造コストを低減させることができる。
【００３２】
なお、左フィーバーランプ１００は右フィーバーランプ２００と同様の構成である。そのため、右フィーバーランプ２００と同様に、左フィーバーランプ１００を前面扉２０の左上部に容易に取り付けることができるので、前面扉２０の組立工程と分けて、左フィーバーランプ１００の組立工程を進められることから、前面扉２０の組立工数すなわちスロットマシンＳＭの組立工数をより低減させることが可能になり、スロットマシンＳＭの製造コストをより低減させることができる。
【００３３】
右フィーバーランプ２００のランプ基板２１０は、サブ制御ユニット５００のサブ制御基板５０６から出力されたランプ制御信号に基づいて、各ＬＥＤ２１１，２１２，２１９の発光制御を行う。第１電飾用ＬＥＤ２１１が点灯すると、第１電飾用ＬＥＤ２１１から射出された光は、透光部材２３０の第１透光部２３１を透過し、第１透光部２３１の拡散面２３２で拡散されてインナーカバー２４０およびアウターカバー２５０を透過する。そのため、各第１電飾用ＬＥＤ２１１，２１１，…の点灯により、右フィーバーランプ２００の前面から全体的に均一な光を発光させることができる。
【００３４】
第２電飾用ＬＥＤ２１２が点灯すると、ランプ基板２１０の左側の第２電飾用ＬＥＤ２１２から射出された光は、透光部材２３０の左側第２透光部２３３ａを透過し、左側第２透光部２３３ａの前端部から射出されてアウターカバー２５０の左部分を透過する。ランプ基板２１０の右側の第２電飾用ＬＥＤ２１２から射出された光は、透光部材２３０の右側第２透光部２３３ｂを透過し、右側第２透光部２３３ｂの前端部から射出されてアウターカバー２５０の右部分を透過する。ランプ基板２１０の下側の第２電飾用ＬＥＤ２１２から射出された光は、透光部材２３０の下側第２透光部２３３ｃを透過し、下側第２透光部２３３ｃの前端部から射出されてアウターカバー２５０の下部分を透過する。
【００３５】
なおこのとき、左側第２透光部２３３ａ、右側第２透光部２３３ｂ、および下側第２透光部２３３ｃの後部は、ランプハウスブラケット２２０の左側内壁部２２８ａ、右側内壁部２２８ｂ、および下側内壁部２２８ｃの内側にそれぞれ挿入されているため、各第１電飾用ＬＥＤ２１１，２１１，…から射出された光が直接、左側第２透光部２３３ａ、右側第２透光部２３３ｂ、および下側第２透光部２３３ｃに入射することはない。そのため、各第２電飾用ＬＥＤ２１２，２１２，…の点灯により、右フィーバーランプ２００の前面における左部分、右部分、および下部分の一部の領域から、他の全体的な領域と趣の異なる鮮明な光（例えば、白色光）を発光させることができる。
【００３６】
このように、本実施形態によれば、透光部材２３０の第１透光部２３１は、拡散面２３２を有している。また、透光部材２３０の左側第２透光部２３３ａ、右側第２透光部２３３ｂ、および下側第２透光部２３３ｃの前部は、第１透光部２３１の前面から突出してインナーカバー２４０まで延伸し、左側第２透光部２３３ａ、右側第２透光部２３３ｂ、および下側第２透光部２３３ｃの後部は、第１透光部２３１の背面から突出して各第２電飾用ＬＥＤ２１２，２１２，…の近傍まで延伸しランプハウスブラケット２２０の左側内壁部２２８ａ、右側内壁部２２８ｂ、および下側内壁部２２８ｃの内側にそれぞれ挿入される。これにより、各第１電飾用ＬＥＤ２１１，２１１，…から射出された光が直接、左側第２透光部２３３ａ、右側第２透光部２３３ｂ、および下側第２透光部２３３ｃに入射することはない。そのため、簡便な構成で、異なる色の光を同時に明瞭に発光させることができる。また、拡散面２３２が形成された第１透光部２３１の背面側に、左側内壁部２２８ａ、右側内壁部２２８ｂ、および下側内壁部２２８ｃが配置されるため、左側内壁部２２８ａ、右側内壁部２２８ｂ、および下側内壁部２２８ｃによる影が外部から視認されることはなく、異なる色の光をきれいに発光させることができる。
【００３７】
また、左側第２透光部２３３ａ、右側第２透光部２３３ｂ、および下側第２透光部２３３ｃの後端面にそれぞれ溝部２３４ａ〜２３４ｃが形成されていることで、前方から各第２透光部２３３ａ，２３３ｂ，２３３ｃを介して各第２電飾用ＬＥＤ２１２，２１２，…が視認されにくくなり、右フィーバーランプ２００の装飾性を向上させることができる。
【００３８】
また、左側第２透光部２３３ａ、右側第２透光部２３３ｂ、および下側第２透光部２３３ｃの前部がそれぞれ、インナーカバー２４０まで延伸して左側抜き穴部２４２ａ、右側抜き穴部２４２ｂ、および下側抜き穴部２４２ｃに挿通されることで、第１透光部２３１を透過する光はインナーカバー２４０を透過し、左側第２透光部２３３ａ、右側第２透光部２３３ｂ、および下側第２透光部２３３ｃを透過する光はインナーカバー２４０を透過しないため、簡便な構成でより確実に、異なる色の光を同時に明瞭に発光させることができる。
【００３９】
また、第１電飾用ＬＥＤ２１１および第２電飾用ＬＥＤ２１２として発光ダイオードが用いられることで、第１電飾用ＬＥＤ２１１から射出された光は第１透光部２３１の拡散面２３２で拡散光となり、第２電飾用ＬＥＤ２１２から射出された光はそのまま指向性の高い光として各第２透光部２３３ａ〜２３３ｃを透過するため、異なる色の光を明瞭に区別して発光させることができる。
【００４０】
なお、左フィーバーランプ１００は右フィーバーランプ２００と同様の構成である。そのため、左フィーバーランプ１００についても、上述した右フィーバーランプ２００と同様の効果を得ることができる。
【００４１】
ところで、右フィーバーランプ２００のスピーカー照明用ＬＥＤ２１９が点灯すると、右上部スピーカーユニット４５の前方が照明されるようになっている。そこで、左右の上部スピーカーユニット４０，４５の取付構造について、図１１〜図１３を参照しながら説明する。左右の上部スピーカーユニット４０，４５は、図１１に示すように、矩形枠状に形成されたスピーカー取付枠４１を利用して、ネジ等の固定部材（図示せず）により前面扉２０の上部背面側に取り付け固定される。
【００４２】
前面扉２０の左上部における左フィーバーランプ１００の下方には、左上部スピーカーユニット４０の前部の振動板を前面扉２０の前方に露出させる円形状の左上部スピーカー穴４２が形成される。この左上部スピーカー穴４２には、左上部フロントカバー１６０および左上部サイドカバー１６５が取り付けられる。前面扉２０の右上部における右フィーバーランプ２００の下方には、右上部スピーカーユニット４５の前部の振動板を前面扉２０の前方に露出させる円形状の右上部スピーカー穴４７が形成される。この右上部スピーカー穴４７には、右上部フロントカバー２６０および右上部サイドカバー２６５が取り付けられる。
【００４３】
右上部フロントカバー２６０は、複数の穴部を有する円盤状に形成され、右上部サイドカバー２６５の前方開口部を覆うようにして、右上部サイドカバー２６５の前部に取り付けられる。右上部サイドカバー２６５は、前面扉２０の右上部スピーカー穴４７の形状に合わせて前後に開口した筒状に形成され、図１２に示すように、右上部フロントカバー２６０とともに右上部スピーカー穴４７の内壁部に前面扉２０の背面側から取り付けられる。これにより、右上部フロントカバー２６０によって右上部スピーカー穴４７の前部が覆われる。右上部サイドカバー２６５の上部には、スピーカー照明用ＬＥＤ２１９からの光を右上部サイドカバー２６５の内側に導く光導入口２６６が形成される。また、図１３にも示すように、右上部スピーカー穴４７の上壁部には、右フィーバーランプ２００（ランプハウスブラケット２２０）のスピーカー照明用開口部２２９と右上部サイドカバー２６５の光導入口２６６とを連通させる光通過穴４８が形成される。
【００４４】
これにより、右フィーバーランプ２００のスピーカー照明用ＬＥＤ２１９が点灯すると、スピーカー照明用ＬＥＤ２１９から射出された光は、図１２に示すように、ランプハウスブラケット２２０のスピーカー照明用開口部２２９、右上部スピーカー穴４７の光通過穴４８、および右上部サイドカバー２６５の光導入口２６６を通過し、右上部サイドカバー２６５の内周面に照射される。右上部サイドカバー２６５の内周面に照射された光の一部は、右上部サイドカバー２６５の前方に反射して右上部フロントカバー２６０を通り、遊技者の眼の位置に到達する。このとき遊技者には、あたかも右上部スピーカーユニット４５から発光しているように視認される。
【００４５】
従来の遊技機には、スピーカーユニットに演出用のランプが設けられたものがある。しかしながら、スピーカーユニットの振動板より背面側に演出用のランプを設ける場合、振動板を透明部材で構成する必要があり、一般的な振動板（コーン紙等）を使用することができない。また、スピーカーユニットの振動板より前面側に演出用のランプを設ける場合、ランプ基板がスピーカーユニットの前方を塞がないように、構造が複雑で自由度の少ない構成となる。
【００４６】
これに対し、本実施形態によれば、前面扉２０における右上部スピーカー穴４７の上壁部に、右フィーバーランプ２００（ランプハウスブラケット２２０）のスピーカー照明用開口部２２９と右上部サイドカバー２６５の光導入口２６６とを連通させる光通過穴４８が形成されるため、右フィーバーランプ２００のスピーカー照明用ＬＥＤ２１９から射出された光は、スピーカー照明用開口部２２９、光通過穴４８、および光導入口２６６を通過し、右上部サイドカバー２６５の内周面に照射される。これにより、右上部スピーカーユニット４５に演出用のランプを設ける必要がなく、簡便な構成で、光と音を組み合わせたより高度な演出を行うことができる。また、右上部スピーカーユニット４５に演出用のランプを設ける必要がないため、ランプ基板等が右上部スピーカーユニット４５の前方を塞ぐことがないことから、音質の低下を招くことなく、右上部スピーカーユニット４５の前方を照明することができる。
【００４７】
なお、左上部フロントカバー１６０および左上部サイドカバー１６５は、右上部フロントカバー２６０および右上部サイドカバー２６５と同様の構成であるため、詳細な説明を省略する。すなわち、前面扉２０における左上部スピーカー穴４２の上壁部に、左フィーバーランプ１００のスピーカー照明用開口部（図示せず）と左上部サイドカバー１６５の光導入口（図示せず）とを連通させる光通過穴（図示せず）が形成される。これにより、左フィーバーランプ１００のスピーカー照明用ＬＥＤ（図示せず）から射出された光は、右フィーバーランプ２００のスピーカー照明用ＬＥＤ２１９と同様に、左上部サイドカバー１６５の内周面に照射される。左上部サイドカバー１６５の内周面に照射された光の一部は、左上部サイドカバー１６５の前方に反射して左上部フロントカバー１６０を通り、遊技者の眼の位置に到達する。このとき遊技者には、あたかも左上部スピーカーユニット４０から発光しているように視認される。そのため、右上部スピーカーユニット４５と同様の効果を得ることができる。
【００４８】
次に、前面扉２０の前面側右下部に設けられた疑似スピーカーユニット３００について、図１４〜図１５を参照しながら説明する。図１４に示すように、疑似スピーカーユニット３００は、スピーカー型装飾部材３１０と、疑似スピーカー照明基板３２０と、キャップ部材３３０と、カバー部材３４０とを有して構成される。
【００４９】
スピーカー型装飾部材３１０は、有色の樹脂材料を用いて円盤状に形成され、ネジ等の固定部材（図示せず）により、前面扉２０の前面側右下部に形成された疑似スピーカー取付部６８に取り付け固定される。スピーカー型装飾部材３１０は、スピーカーのコーン型振動板の前面形状を模して形成された疑似スピーカー部３１１と、疑似スピーカー部３１１の外周部から略直角に（後方に）延びる支持リブ３１３とを有している。疑似スピーカー部３１１は、疑似スピーカー部３１１の外周部に設けられた支持リブ３１３により、図１５に示すように、疑似スピーカー取付部６８の底面（前面）に対して略平行に支持される。疑似スピーカー部３１１の中央部には、疑似スピーカー照明基板３２０およびキャップ部材３３０を支持する突起状のランプ支持部３１２が形成される。図１４に示すように、支持リブ３１３には、スピーカー型装飾部材３１０を前面扉２０の疑似スピーカー取付部６８に仮固定するための疑似スピーカー係止片３１４が背面側に延びて複数形成されている。また、支持リブ３１３には、カバー部材３４０のカバー係止片３４１が係止可能な突起状のカバー係止部３１５が複数形成されている。
【００５０】
図１４に示すように、疑似スピーカー照明基板３２０は、正八角形の板状に形成されて、ネジ等の固定部材（図示せず）により、スピーカー型装飾部材３１０のランプ支持部３１２に取り付け固定される。疑似スピーカー照明基板３２０の表面側（背面側）には、疑似スピーカー部３１１の外周部内側と対向する８個の疑似スピーカー照明用ＬＥＤ３２１，３２１，…が、疑似スピーカー照明基板３２０における正八角形の辺部に沿って１個ずつ設けられている。疑似スピーカー照明基板３２０は、サブ制御ユニット５００のサブ制御基板５０６（詳細は後述）と電気的に接続され、サブ制御基板５０６から出力されたランプ制御信号に基づいて、疑似スピーカー照明用ＬＥＤ３２１の発光制御を行う。疑似スピーカー照明用ＬＥＤ３２１として、例えば単色の（例えば、青色の）ＬＥＤが用いられる。
【００５１】
キャップ部材３３０は、有色の樹脂材料を用いてスピーカーキャップの形状を模した円板状に形成され、疑似スピーカー照明基板３２０の裏面側（前面側）を覆うようにして疑似スピーカー照明基板３２０に取り付けられる。すなわち、図１５に示すように、８個の疑似スピーカー照明用ＬＥＤ３２１，３２１，…はそれぞれ、疑似スピーカー部３１１の外周部内側に向けて露出するようになっている。
【００５２】
カバー部材３４０は、透明の樹脂材料を用いて、スピーカー型装飾部材３１０、疑似スピーカー照明基板３２０、およびキャップ部材３３０の前方を覆う蓋状に形成される。カバー部材３４０の外周部には、スピーカー型装飾部材３１０のカバー係止部３１５に係止可能なカバー係止片３４１が複数形成される。カバー部材３４０の各カバー係止片３４１，３４１，…をそれぞれスピーカー型装飾部材３１０のカバー係止部３１５，３１５，…に係止させることで、図１５に示すように、カバー部材３４０がスピーカー型装飾部材３１０の前方を覆うようにスピーカー型装飾部材３１０に取り付けられる。
【００５３】
前面扉２０の背面側右下部には、振動板６６が前面扉２０の前方を向くように右下部スピーカーユニット６５が取り付けられる。図１５に示すように、疑似スピーカーユニット３００（スピーカー型装飾部材３１０）は、前面扉２０の前方から見たときに右下部スピーカーユニット６５の一部と重なるように上方にずれて配置される。右下部スピーカーユニット６５は、いわゆるダイナミック型スピーカーユニットであり、前部に音を発するコーン型の振動板６６を有している。前面扉２０におけるスピーカー型装飾部材３１０の下方近傍に位置して右下部スピーカーユニット６５の振動板６６と対向する部分、すなわち受け皿３４の右背面部には、右下部スピーカーユニット６５の振動板６６から前方に発せられた音を前面扉２０の前面側に導く右下部スピーカー穴６７が形成されている。
【００５４】
右下部スピーカーユニット６５の背面側には、右下部スピーカーユニット６５の背面側を覆うリアカバー７０が取り付けられる。リアカバー７０の上部は、右下部スピーカーユニット６５よりも上方に突出して前方に開口するように形成されている。また、前面扉２０における疑似スピーカー取付部６８の中央には、リアカバー７０の上部開口とスピーカー型装飾部材３１０の内部空間とを連通させる導音通路６９が前後に貫通して形成されている。この導音通路６９は、右下部スピーカーユニット６５の振動板６６から後方のリアカバー７０の内部に発せられた音をリアカバー７０の上部開口からスピーカー型装飾部材３１０の内部空間に導くようになっている。
【００５５】
なお、前面扉２０の背面側左下部には、振動板（図示せず）が前面扉２０の前方を向くように左下部スピーカーユニット６０が取り付けられる（図３を参照）。図１４に示すように、受け皿３４の左背面部には、左下部スピーカーユニット６０の振動板から前方に発せられた音を前面扉２０の前面側に導く左下部スピーカー穴６２が形成されている。
【００５６】
以上のように構成される疑似スピーカーユニット３００において、右下部スピーカーユニット６５が作動すると、右下部スピーカーユニット６５の振動板６６から前方に発せられた音は、右下部スピーカー穴６７を通って前面扉２０の前方に放音される。一方、右下部スピーカーユニット６５の振動板６６から後方のリアカバー７０の内部に発せられた音は、リアカバー７０の上部開口から前面扉２０の導音通路６９を通ってスピーカー型装飾部材３１０の内部空間に導かれる。これにより、右下部スピーカーユニット６５から発せられた音が直接的に疑似スピーカーユニット３００（スピーカー型装飾部材３１０）の下方近傍に位置する右下部スピーカー穴６７から前方に放音されるとともに、スピーカー型装飾部材３１０の内部空間に導かれた音が間接的にスピーカー型装飾部材３１０から前方に放音されるため、疑似スピーカーユニット３００自身は音を発生させていないにも拘らず、あたかも疑似スピーカーユニット３００（スピーカー型装飾部材３１０）から音が発生しているように遊技者に感じられる。
【００５７】
またこのとき、疑似スピーカー照明基板３２０は、サブ制御ユニット５００のサブ制御基板５０６から出力されたランプ制御信号に基づいて、疑似スピーカー照明用ＬＥＤ３２１の発光制御を行う。疑似スピーカー照明用ＬＥＤ３２１が点灯すると、疑似スピーカー照明用ＬＥＤ３２１から射出された光は、疑似スピーカー部３１１の外周部に部分的に照射される。そのため、８つの疑似スピーカー照明用ＬＥＤ３２１，３２１，…の点灯により、疑似スピーカー部３１１の外周部を全体的に照明して、当該疑似スピーカー部３１１の外周部を円環状に発光させることができる。これにより、疑似的にスピーカーの振動板（実際には、スピーカー型装飾部材３１０）を利用した視覚的な演出を行うことができ、光と音を組み合わせたより高度な演出が可能となる。
【００５８】
このように、本実施形態によれば、前面扉２０における疑似スピーカーユニット３００（スピーカー型装飾部材３１０）の近傍で右下部スピーカーユニット６５の振動板６６と対向する部分に、右下部スピーカーユニット６５の振動板６６から前方に発せられた音を前面扉２０の前面側に導く右下部スピーカー穴６７が形成され、前面扉２０における疑似スピーカー取付部６８に、右下部スピーカーユニット６５の振動板６６から後方のリアカバー７０の内部に発せられた音をスピーカー型装飾部材３１０に導く導音通路が形成されている。これにより、スピーカーの振動板よりも固い材料（樹脂材料等）を用いて、遊技者にスピーカーの振動板を視覚的および聴覚的に（疑似的に）認識させることができるため、工具等により穴を開けられてスロットマシンＳＭの内部に不正にアクセスされることを防止することができ、不正行為を防止しつつより高度な演出を行うことが可能になる。
【００５９】
また、スピーカー型装飾部材３１０の中央部に、スピーカー型装飾部材３１０（疑似スピーカー部３１１）の外周部を照明して環状に発光させる疑似スピーカー照明基板３２０が設けられることで、疑似的にスピーカーの振動板（実際には、スピーカー型装飾部材３１０）を利用した視覚的な演出を行うことができ、不正行為を防止しつつ、光と音を組み合わせたより高度な演出が可能となる。
【００６０】
次に、前面扉２０の前面側左部に設けられた演出表示装置４００について、図１６〜図１９を参照しながら説明する。図１６および図１７に示すように、演出表示装置４００は、ベース部４０１と、プリズム保持枠４０５と、プリズム部材４１０と、液晶表示装置４２０と、液晶カバー４２５と、天井部４３０と、上部ランプ基板４３５と、バックライト基板４４０と、左バックライト部４５０と、右バックライト部４５５と、各種装飾部材４７０，４７０，…とを有して構成される。ベース部４０１は、所定の装飾が施されて重ねられた複数の板状部材から構成され、図１８に示すように、上面でプリズム保持枠４０５を支持する。
【００６１】
プリズム保持枠４０５は、有色半透明の樹脂材料を用いて形成され、図１７および図１８に示すように、ベース部４０１に支持された底部４０６と、底部４０６の前側に立設された枠部４０７と、枠部４０７の左後側に形成された左カバー部４０８とを有している。底部４０６は、プリズム部材４１０の下面部４１３の形状に合わせた略三角形状に形成され、上面でプリズム部材４１０を支持する。枠部４０７は、プリズム部材４１０の前面部４１１の外周形状に合わせた矩形枠状に形成され、図１９（ａ）に示すように、プリズム部材４１０の前面部４１１に重ねられた液晶表示部４２１の外周部が背面側に当接する。左カバー部４０８は、プリズム部材４１０の左側面部４１４の形状に合わせた矩形板状に形成され、図１９（ａ）に示すように、プリズム部材４１０の左側面部４１４の略前半分の領域を覆うようになっている。
【００６２】
なお、図１６に示すように、左カバー部４０８は、外部に露出するように配置されており、これにより、演出表示装置４００の表示部にプリズム状の立体感を持たせることができる。
【００６３】
図１７および図１８に示すように、プリズム部材４１０は、透明の樹脂材料を用いて三角柱状に形成され、前方に面する長方形状の前面部４１１と、上方に面する正三角形状の上面部４１２と、下方に面する正三角形状の下面部４１３と、左後方に面する長方形状の左側面部４１４と、右後方に面する長方形状の右側面部４１５とを有している。前面部４１１は、外周部が上面部４１２、下面部４１３、左側面部４１４、および右側面部４１５の前端部からそれぞれ突出する長方形の薄板状に形成される。プリズム部材４１０は、図１９に示すように、前面部４１１の外周部が液晶表示部４２１を介してプリズム保持枠４０５の枠部４０７に当接する状態で、プリズム保持枠４０５の底部４０６に支持される。なお、詳細な図示を省略するが、左側面部４１４および右側面部４１５には、上下方向に延びる所定の装飾模様（図示せず）が溝状に形成されている。
【００６４】
液晶表示装置４２０は、透過型液晶を用いて構成され、図１７に示すように、所定の演出表示を行う液晶表示部４２１と、液晶表示部４２１の右側部に電気的に接続された液晶制御基板４２２とを有している。液晶表示部４２１は、プリズム部材４１０の前面部４１１の形状に合わせた矩形板状に形成され、図１８および図１９にも示すように、プリズム部材４１０の前面部４１１に重なるように取り付けられる。液晶表示部４２１の表示領域は、プリズム保持枠４０５の枠部４０７に囲まれた領域とほぼ同じ大きさに設定されており、液晶表示部４２１の表示領域を通してプリズム部材４１０の内部を視認可能に構成されている。液晶制御基板４２２は、サブ制御ユニット５００のサブ制御基板５０６（詳細は後述）と電気的に接続され、サブ制御基板５０６から出力された画像制御信号に基づいて、液晶表示部４２１の画像表示制御を行う。図１７〜図１９に示すように、液晶カバー４２５は、透明の樹脂材料を用いて、プリズム保持枠４０５の枠部４０７の形状に合わせた矩形板状に形成され、枠部４０７の開口を塞ぐように枠部４０７の前部に取り付けられる。
【００６５】
天井部４３０は、図１７に示すように、所定の装飾が施されて重ねられた複数の板状部材から構成され、図１８に示すように、プリズム部材４１０の上面部４１２を覆うようにプリズム保持枠４０５の上部に取り付けられる。天井部４３０の下面側には、上部ランプ基板４３５がプリズム部材４１０（上面部４１２）と天井部４３０との間に位置するように取り付けられる。
【００６６】
図１７に示すように、上部ランプ基板４３５は、プリズム部材４１０の上面部４１２の形状に合わせた略三角形の板状に形成される。上部ランプ基板４３５の上面には、上部ＬＥＤ４３６が略前方を向くように設けられている。上部ランプ基板４３５は、サブ制御ユニット５００のサブ制御基板５０６と電気的に接続され、サブ制御基板５０６から出力されたランプ制御信号に基づいて、上部ＬＥＤ４３６の発光制御を行う。上部ＬＥＤ４３６として、例えばマルチカラーＬＥＤが用いられる。
【００６７】
図１７に示すように、バックライト基板４４０は、プリズム部材４１０の高さに合わせた長方形の板状に形成され、プリズム部材４１０の後方に配設される。バックライト基板４４０の表面側（前面側）には、左右のバックライト部４５０，４５５（プリズム部材４１０）の後端部と対向する６個のバックライトＬＥＤ４４１，４４１，…が、バックライト基板４４０における長方形の一方の長辺部に沿って並ぶように設けられている。バックライト基板４４０は、サブ制御ユニット５００のサブ制御基板５０６と電気的に接続され、サブ制御基板５０６から出力されたランプ制御信号に基づいて、バックライトＬＥＤ４４１の発光制御を行う。バックライトＬＥＤ４４１として、例えば白色ＬＥＤが用いられる。
【００６８】
図１８および図１９（ａ）に示すように、左バックライト部４５０は、左保持板４５１と、左導光板４５２と、左シート部材４５３とを有し、プリズム部材４１０の左側面部４１４における略後半分の領域に重なるように取り付けられる。左保持板４５１は、白色の樹脂材料を用いて、プリズム部材４１０の左側面部４１４に沿って折れ曲がった板状に形成され、前面側に左導光板４５２を受容して保持する凹部が形成されている。左導光板４５２は、透明の樹脂材料を用いて、プリズム部材４１０の左側面部４１４に沿って折れ曲がった板状に形成され、左保持板４５１の前面に重なるように保持される。左導光板４５２の背面には、左導光板４５２の内部を進む光を乱反射させるための微細な凹凸状の反射ドット（図示せず）が形成される。また、左導光板４５２の後端部は、バックライト基板４４０のバックライトＬＥＤ４４１，４４１，…に向けて露出するようになっている。左シート部材４５３は、左導光板４５２から射出された光を拡散させる拡散シート（拡散板）や、左導光板４５２から射出された光の向きを変えるプリズムシート等が重なって構成され、左導光板４５２の前面に重なるように配置される。
【００６９】
右バックライト部４５５は、右保持板４５６と、右導光板４５７と、右シート部材４５８とを有し、プリズム部材４１０の右側面部４１５における略後半分の領域に重なるように取り付けられる。右保持板４５６は、白色の樹脂材料を用いて、プリズム部材４１０の右側面部４１５に沿って折れ曲がった板状に形成され、前面側に右導光板４５７を受容して保持する凹部が形成されている。右導光板４５７は、透明の樹脂材料を用いて、プリズム部材４１０の右側面部４１５に沿って折れ曲がった板状に形成され、右保持板４５６の前面に重なるように保持される。右導光板４５７の背面には、右導光板４５７の内部を進む光を乱反射させるための微細な凹凸状の反射ドット（図示せず）が形成される。また、右導光板４５７の後端部は、バックライト基板４４０のバックライトＬＥＤ４４１，４４１，…に向けて露出するようになっている。右シート部材４５８は、右導光板４５７から射出された光を拡散させる拡散シート（拡散板）や、右導光板４５７から射出された光の向きを変えるプリズムシート等が重なって構成され、右導光板４５７の前面に重なるように配置される。
【００７０】
以上のように構成される演出表示装置４００において、液晶制御基板４２２は、サブ制御ユニット５００のサブ制御基板５０６から出力された画像制御信号に基づいて、液晶表示部４２１の画像表示制御を行う。また、バックライト基板４４０は、サブ制御ユニット５００のサブ制御基板５０６から出力されたランプ制御信号に基づいて、バックライトＬＥＤ４４１の発光制御を行う。また、上部ランプ基板４３５は、サブ制御ユニット５００のサブ制御基板５０６から出力されたランプ制御信号に基づいて、上部ＬＥＤ４３６の発光制御を行う。
【００７１】
バックライトＬＥＤ４４１が点灯すると、バックライトＬＥＤ４４１から射出された光は、左バックライト部４５０の左導光板４５２の後端部と、右バックライト部４５５の右導光板４５７の後端部とに入射する。左導光板４５２の後端部に入射した光は、左導光板４５２の内部を反射しながら進み、左導光板４５２の背面側の反射ドット（図示せず）で乱反射した光が左導光板４５２の前面および左シート部材４５３を通ってプリズム部材４１０の内部に達する。一方、右導光板４５７の後端部に入射した光は、右導光板４５７の内部を反射しながら進み、右導光板４５７の背面側の反射ドット（図示せず）で乱反射した光が右導光板４５７の前面および右シート部材４５８を通ってプリズム部材４１０の内部に達する。左バックライト部４５０および右バックライト部４５５の前面全体から均一にプリズム部材４１０の内部に射出された光は、プリズム部材４１０の内部を前方に進んで前面部４１１を通り、液晶表示部４２１の背面側に照射される。
【００７２】
なおこのとき、左バックライト部４５０から射出されてプリズム部材４１０の右側面部４１５における略前半分の領域に達した光は、光の入射角が全反射角より大きいため、当該右側面部４１５における略前半分の領域で反射して前面部４１１を通り、液晶表示部４２１の背面側に照射される。同様に、右バックライト部４５５から射出されてプリズム部材４１０の左側面部４１４における略前半分の領域に達した光は、光の入射角が全反射角より大きいため、当該左側面部４１４における略前半分の領域で反射して前面部４１１を通り、液晶表示部４２１の背面側に照射される。そのため、左バックライト部４５０および右バックライト部４５５の大きさをプリズム部材４１０の左側面部４１４および右側面部４１５よりも小さくすることが可能となり、装置の小型化、低コスト化を図ることができる。
【００７３】
このようにして、左右のバックライト部４５０，４５５により照明された液晶表示部４２１に所定の演出が表示される。このとき、遊技者は液晶表示部４２１に表示される演出に重ねてプリズム部材４１０の内部を視認することができる。プリズム部材４１０の左側面部４１４および右側面部４１５における略後半分の領域には、所定の装飾模様（図示せず）が形成されている。さらに、左側面部４１４および右側面部４１５における略前半分の領域には、全反射により反対側の側面部（左側面部４１４および右側面部４１５における略後半分の領域）に形成された所定の装飾模様の像が映し出される。そのため、遊技者がプリズム部材４１０の内部を視認したとき、所定の装飾模様が液晶表示部４２１の奥に重なっているように視認される。これにより、奥行きのある多彩な演出表示を行うことが可能となる。
【００７４】
例えば、バックライトＬＥＤ４４１の光量を比較的大きい光量に変化させると、プリズム部材４１０の所定の装飾模様が明るくなって見えにくくなるので、遊技者には液晶表示部４２１に表示される演出のみが視認される。また、液晶表示部４２１が表示を行わない場合、遊技者には液晶表示部４２１の表示領域を通してプリズム部材４１０の内部のみが視認される。このとき、バックライトＬＥＤ４４１が点灯すると、上述の場合と同様に、所定の装飾模様が液晶表示部４２１の奥に（重なって）形成されているように視認される。また、バックライトＬＥＤ４４１の代わりに、上部ＬＥＤ４３６が点灯する場合、上部ＬＥＤ４３６から前方に射出された光は、天井部４３０に形成された不図示の反射部で下方に乱反射し、プリズム部材４１０の上面部４１２を通ってプリズム部材４１０の内部に達する。そのため、遊技者には、バックライトＬＥＤ４４１が点灯する場合と異なった趣で、所定の装飾模様が液晶表示部４２１の奥に（重なって）形成されているように視認される。またこのとき、上部ＬＥＤ４３６としてマルチカラーＬＥＤを用いて、発光色を変化させるようにすれば、遊技者に視認される装飾模様の色を変化させることできる。このようにして、奥行きのある多彩な演出表示を行うことができる。なお、上部ランプ基板４３５は、プリズム部材４１０の上面部４１２での全反射により、遊技者に視認されにくくなっている。
【００７５】
従来の遊技機には、画像表示装置とは別に小型の演出表示装置が設けられたものがある。画像表示装置と演出表示装置とを組み合わせることによって、より多彩な演出が可能となる。しかしながら、このような従来の演出表示装置では、平面的な演出表示（例えば、画像表示装置よりも粗いドットによる演出表示等）を行うものが多く、より多彩な演出表示が求められていた。
【００７６】
これに対し、本実施形態によれば、プリズム部材４１０の前面部４１１に重なるように透過性を有する液晶表示部４２１が設けられ、プリズム部材４１０の左側面部４１４および右側面部４１５に重なるように左バックライト部４５０および右バックライト部４５５が設けられている。そのため、遊技者は液晶表示部４２１に表示される演出に重ねてプリズム部材４１０の内部を視認することができ、奥行きのある多彩な演出表示を行うことが可能となる。
【００７７】
次に、前面扉２０の上部背面側に設けられたサブ制御ユニット５００について、図２０〜図２８を参照しながら説明する。図２０〜図２２に示すように、サブ制御ユニット５００は、画像制御基板５０１と、サブ制御基板５０６と、これらが収容される基板ケースユニット５１０とを有して構成される。画像制御基板５０１は、サブ制御基板５０６と電気的に接続され、サブ制御基板５０６から出力された画像制御信号に基づいて、画像表示装置３０の画像表示制御を行う。サブ制御基板５０６は、メイン制御装置１５と電気的に接続され、メイン制御装置１５から出力された各種コマンドに基づいて、スロットマシンＳＭの演出制御を統括的に行う。
【００７８】
例えば、サブ制御基板５０６は、画像制御基板５０１と電気的に接続され、メイン制御装置１５から出力された各種コマンドに基づいて、画像表示装置３０で表示される演出態様を決定し、当該演出態様に応じた画像制御信号を画像制御基板５０１に出力する。また、サブ制御基板５０６は、液晶制御基板４２２、上部ランプ基板４３５、およびバックライト基板４４０と電気的に接続され、メイン制御装置１５から出力された各種コマンドに基づいて、演出表示装置４００で表示される演出態様を決定し、当該演出態様に応じた画像制御信号を液晶制御基板４２２に、ランプ制御信号を上部ランプ基板４３５およびバックライト基板４４０にそれぞれ出力する。また、サブ制御基板５０６は、ランプ基板２１０と電気的に接続され、メイン制御装置１５から出力された各種コマンドに基づいて、右フィーバーランプ２００および右上部スピーカーユニット４５（並びに、左フィーバーランプ１００および左上部スピーカーユニット４０）での発光による演出態様を決定し、当該演出態様に応じたランプ制御信号をランプ基板２１０に出力する。
【００７９】
図２０〜図２２に示すように、基板ケースユニット５１０は、画像制御基板５０１が収容される画像制御基板ケース５２０と、サブ制御基板５０６が収容されるサブ制御基板ケース５６０と、画像制御基板ケース５２０とサブ制御基板ケース５６０とを連結する連結機構６００と、サブ制御基板ケース５６０を画像制御基板ケース５２０に対して固定保持可能なケース保持機構６５０とを有して構成される。図２５〜図２６に示すように、画像制御基板ケース５２０は、第１ケース本体部材５２１と、第１ケース蓋部材５３１と、ヒートシンク部材５４１と、放熱シート５５１と、冷却ファン５５６とを有している。
【００８０】
第１ケース本体部材５２１は、透明の樹脂材料を用いて前面側が開口した矩形箱状に形成され、第１ケース本体部材５２１の前面開口部を塞ぐようにして、前面扉２０の上部背面側に取り付けられる。これにより、第１ケース本体部材５２１の前面側に、第１ケース本体部材５２１と画像表示装置３０の背面とに囲まれて冷却風通過路５２７が形成される。第１ケース本体部材５２１の左右側部には、ネジ等の固定部材（図示せず）により第１ケース本体部材５２１を前面扉２０の背面側に取り付けるためのケース取付部５２２が形成される。
【００８１】
第１ケース本体部材５２１の背面部には、基板支持部５２３と、蓋支持部５２４と、放熱部材取付部５２５とが形成される。基板支持部５２３は、画像制御基板５０１を支持可能なボス状に形成され、画像制御基板５０１の外周形状に合わせて６つ配設される。蓋支持部５２４は、第１ケース蓋部材５３１を支持可能なボス状に基板支持部５２３よりも高く形成され、第１ケース蓋部材５３１の外周形状に合わせて４つ配設される。放熱部材取付部５２５は、ヒートシンク部材５４１の放熱プレート５４２に係止可能な爪状に形成される。放熱部材取付部５２５の内側には、ヒートシンク部材５４１の放熱フィン５４３の形状に合わせた矩形穴状の放熱フィン挿通穴５２６が形成される。放熱フィン５４３を放熱フィン挿通穴５２６に挿通させて、放熱プレート５４２の縁部に放熱プレート取付部５２５の爪部を係止させることで、ヒートシンク部材５４１が放熱プレート取付部５２５に取り付けられる。
【００８２】
第１ケース本体部材５２１の上部には、冷却ファン５５６を受容可能な穴状の冷却ファン受容部５２８が形成され、第１ケース本体部材５２１の前面側に閉じて形成された冷却風通過路５２７と第１ケース本体部材５２１の上方外部とが連通するようになっている。一方、第１ケース本体部材５２１の下部には、細長く小さな複数の冷却風排出穴５２９，５２９，…が左右方向に並んで形成され、第１ケース本体部材５２１の前面側に閉じて形成された冷却風通過路５２７と第１ケース本体部材５２１の下方外部とが連通するようになっている。
【００８３】
第１ケース蓋部材５３１は、透明の樹脂材料を用いて前面側が開口した矩形蓋状に形成される。第１ケース蓋部材５３１の４つの隅部に蓋取付穴５３２が形成され、ネジ等の第１蓋固定部材５５９を蓋取付穴５３２に挿通させて第１ケース本体部材５２１の蓋支持部５２４に固定することにより、第１ケース蓋部材５３１が画像制御基板５０１を覆うように第１ケース本体部材５２１の背面側に取り付け固定される。第１ケース蓋部材５３１の上部には、複数の小孔を有する冷却ファンカバー部５３３が形成されており、第１ケース本体部材５２１の冷却ファン受容部５２８に受容された冷却ファン５５６の上面を覆うようになっている。これにより、冷却ファン５５６は、第１ケース本体部材５２１の前面側に閉じて形成された冷却風通過路５２７の上端に配置され、外部から冷却風通過路５２７に冷却風を送り込むようになっている。
【００８４】
ヒートシンク部材５４１は、熱伝導性の高い金属材料を用いて矩形板状に形成され、左右方向に延びる長方形板状の放熱プレート５４２と、放熱プレート５４２に対して垂直な面内で上下方向に延びる薄板状の放熱フィン５４３とを有している。放熱フィン５４３は、放熱プレート５４２の前面側に繋がって形成され、第１ケース本体部材５２１の放熱フィン挿通穴５２６に挿通されて冷却風通過路５２７に露出するようになっている。放熱プレート５４２の背面には、画像制御基板５０１の画像制御ＣＰＵ５０２に重なるように放熱シート５５１が接合される。放熱シート５５１は、熱伝導性および絶縁性の高い樹脂材料（例えば、シリコンシート等）を用いて略正方形の薄板状に形成され、放熱プレート５４２と画像制御ＣＰＵ５０２との間に挟まれるようになっている。
【００８５】
図２７に示すように、サブ制御基板ケース５６０は、第２ケース本体部材５６１と、第２ケース蓋部材５７１と、ケース封止部材５８１とを有している。第２ケース本体部材５６１は、透明の樹脂材料を用いて背面側が開口した矩形箱状に形成される。第２ケース本体部材５６１の内側（背面側）には、基板支持リブ５６２と、蓋取付ボス５６３と、カバー取付ボス５６４とが形成されている。基板支持リブ５６２は、サブ制御基板５０６を支持可能なリブ状に形成され、第２ケース本体部材５６１の内側（背面側）に縦横に延在している。蓋取付ボス５６３は、サブ制御基板５０６の穴部より小さなボス状に形成され、第２ケース蓋部材５７１の外周形状に合わせて４つ配設される。カバー取付ボス５６４は、サブ制御基板５０６の穴部より小さなボス状に形成され、第２ケース本体部材５６１の内側（背面側）における左上部（第２ケース本体部材５６１の背面側から見て右上部）に配設される。
【００８６】
第２ケース蓋部材５７１は、透明の樹脂材料を用いて前面側が開口した矩形蓋状に形成される。第２ケース蓋部材５７１の４つの隅部にケース取付穴部５７２が形成され、ネジ等の第２蓋固定部材（図示せず）をケース取付穴部５７２に挿通させて第２ケース本体部材５６１の蓋取付ボス５６３に固定することにより、第２ケース蓋部材５７１がサブ制御基板５０６を覆うように第２ケース本体部材５６１の背面側に取り付け固定される。第２ケース蓋部材５７１の左上部（第２ケース蓋部材５７１の背面側から見て右上部）には、サブ制御基板５０６の左上部に設けられたメイン制御装置用コネクタ５０７を露出させる第１コネクタ露出部５７３が形成されている（図２８（ａ）を参照）。メイン制御装置用コネクタ５０７には、メイン制御装置１５に繋がるハーネスの端子部（図示せず）が電気的に接続されるようになっている。また、第２ケース蓋部材５７１の下部には、サブ制御基板５０６の下部に設けられた各種コネクタ（図示せず）を露出させる第２コネクタ露出部５７４が形成されている。
【００８７】
ケース封止部材５８１は、第２ケース蓋部材５７１のケース取付穴部５７２の形状に合わせた有底筒状に形成される。ケース封止部材５８１は、ケース取付穴部５７２に挿入されて係合するように構成されており、第２蓋固定部材（図示せず）が挿通されたケース取付穴部５７２を塞いで封止するようになっている。
【００８８】
図２０〜図２２に示すように、連結機構６００は、サブ制御基板ケース５６０と画像制御基板ケース５２０との上方の側部に跨って設けられ、サブ制御基板ケース５６０に設けられた第１ヒンジ軸６０１および第２ヒンジ軸６０２と、画像制御基板ケース５２０に設けられた第１軸係合部６１１および第２軸係合部６１２と、軸カバー部材６３１およびカバー封止部材６３６とを有している。図２７に示すように、第１ヒンジ軸６０１は、第２ケース本体部材５６１の右上部（第２ケース本体部材５６１の背面側から見て左上部）に丸棒状に形成され、第２ケース本体部材５６１の右側方（第２ケース本体部材５６１の背面側から見て左側方）に突出するようになっている。第２ヒンジ軸６０２は、第２ケース本体部材５６１の左上部（第２ケース本体部材５６１の背面側から見て右上部）に丸棒状に形成され、第２ケース本体部材５６１の左側方（第２ケース本体部材５６１の背面側から見て右側方）に突出するようになっている。
【００８９】
第１軸係合部６１１は、第１ケース本体部材５２１の右上部（第１ケース本体部材５２１の背面側から見て左上部）において左方（第１ケース本体部材５２１の背面側から見て右方）に開口した筒状に形成され、第１ヒンジ軸６０１が回転自在に係合する。第２軸係合部６１２は、第１ケース本体部材５２１の左上部（第１ケース本体部材５２１の背面側から見て右上部）において弾性変形可能な爪状に形成され、第２ヒンジ軸６０２が回転自在に係合する。図２４および図２８（ａ）に示すように、第１ヒンジ軸６０１を第１軸係合部６１１に挿入して係合させ、この状態で第２ヒンジ軸６０２を第２軸係合部６１２に係合させることにより、サブ制御基板ケース５６０が画像制御基板ケース５２０の背面側に揺動自在に連結される。このとき、第２軸係合部６１２が弾性変形可能な爪状に形成されているため、第２ヒンジ軸６０２を第２軸係合部６１２に容易に係合させて、画像制御基板ケース５２０とサブ制御基板ケース５６０とを容易に連結することができる。
【００９０】
図２８（ｂ）に示すように、軸カバー部材６３１は、透明の樹脂材料を用いて、第２軸係合部６１２と第２ヒンジ軸６０２との係合部および係合部近傍を覆う蓋状に形成され、軸カバー部６３２と、コネクタカバー部６３３と、カバー取付穴部６３４とを有している。軸カバー部６３２は、曲面形の庇状に形成され、サブ制御基板ケース５６０の揺動位置に拘らず、爪状に形成された第２軸係合部６１２と第２ヒンジ軸６０２との係合部を背面側から覆うようになっている。コネクタカバー部６３３は、第２ケース蓋部材５７１の第１コネクタ露出部５７３の形状に合わせた矩形蓋状に形成され、第１コネクタ露出部５７３によって露出したサブ制御基板５０６のメイン制御装置用コネクタ５０７（図２８（ａ）を参照）を覆うようになっている。コネクタカバー部６３３の左側部（コネクタカバー部６３３の背面側から見て右側部）は、第２ケース本体部材５６１の左側部（第２ケース本体部材５６１の背面側から見て右側部）まで覆うように前方に延びて形成されており、メイン制御装置用コネクタ５０７への不正なアクセスを防止するようになっている。カバー取付穴部６３４はコネクタカバー部６３３の上部に形成され、ネジ等のカバー固定部材（図示せず）をカバー取付穴部６３４に挿通させて第２ケース本体部材５６１のカバー取付ボス５６４に固定することにより、軸カバー部材６３１が第２軸係合部６１２と第２ヒンジ軸６０２との係合部および係合部近傍を覆うように第２ケース本体部材５６１の左上部背面側に取り付け固定される。
【００９１】
カバー封止部材６３６は、軸カバー部材６３１のカバー取付穴部６３４の形状に合わせた有底筒状に形成される。カバー封止部材６３６は、カバー取付穴部６３４に挿入されて係合するように構成されており、カバー固定部材（図示せず）が挿通されたカバー取付穴部６３４を塞いで封止するようになっている。
【００９２】
図２０〜図２４に示すように、ケース保持機構６５０は、サブ制御基板ケース５６０と画像制御基板ケース５２０との下方の側部に跨って設けられ、基板ケース支持部材６５１と、画像制御基板ケース５２０に設けられた第１軸受容部６６１および本体受容部６６２と、サブ制御基板ケース５６０に設けられた第２軸受容部６７１および係止部６７３とを有している。図２５および図２７に示すように、基板ケース支持部材６５１は、樹脂材料を用いてサブ制御基板ケース５６０を支持可能な板状に形成され、本体プレート部６５２と、第１軸部６５３と、操作片部６５４と、第２軸部６５６とを有している。本体プレート部６５２は板状に形成されており、本体プレート部６５２の一端に第１軸部６５３が形成され、本体プレート部６５２の他端に第２軸部６５６が形成されている。
【００９３】
第１軸部６５３は、左右方向に延びる丸棒状に形成され、本体プレート部６５２の一端側部より左右に突出するようになっている。第２軸部６５６は、左右方向に延びる丸棒状に形成され、本体プレート部６５２の他端側部より左右に突出するようになっている。操作片部６５４は、第１軸部６５３の胴部に本体プレート部６５２の延長線上に沿って突出するように形成され、基板ケース支持部材６５１を揺動させるための操作が行われるようになっている。操作片部６５４には、サブ制御基板ケース５６０に設けられた係止部６７３が挿通される挿通穴６５５が形成される。
【００９４】
第１軸受容部６６１は、第１ケース蓋部材５３１の下部背面側に凹設されており、基板ケース支持部材６５１の第１軸部６５３が回転自在に係合する。これにより、基板ケース支持部材６５１が画像制御基板ケース５２０の第１ケース蓋部材５３１に対して揺動自在に連結される。本体受容部６６２は、第１ケース蓋部材５３１の下部背面側において基板ケース支持部材６５１の本体プレート部６５２および第２軸部６５６を受容可能に凹設されており、本体受容部６６２の下端部が第１軸受容部６６１と繋がるようになっている。これにより、基板ケース支持部材６５１を第１ケース蓋部材５３１に対して略平行になるように揺動させたとき、基板ケース支持部材６５１（本体プレート部６５２および第２軸部６５６）が本体受容部６６２に受容される。このとき、サブ制御基板ケース５６０を画像制御基板ケース５２０に対して略平行に重なる平行位置に揺動させることができる（図２４を参照）。
【００９５】
図２０〜図２３に示すように、第２軸受容部６７１は、第２ケース本体部材５６１の下端部と第２ケース蓋部材５７１の下端部とに跨って凹設されており、基板ケース支持部材６５１の第２軸部６５６を受容して係止させるように構成される。これにより、本体受容部６６２に受容された基板ケース支持部材６５１の第２軸部６５６を揺動させて第２軸受容部６７１に係止させると、基板ケース支持部材６５１により、サブ制御基板ケース５６０が画像制御基板ケース５２０に対し傾斜する傾斜位置で支持された状態に保持される（図２０〜図２３を参照）。係止部６７３は、第２ケース蓋部材５７１の下端部に爪状に突出して形成され、サブ制御基板ケース５６０が平行位置に揺動したときに、基板ケース支持部材６５１の挿通穴６５５に挿通されて操作片部６５４に係止するように構成される。これにより、サブ制御基板ケース５６０が平行位置で保持される（図２４を参照）。なお、第２ケース本体部材５６１の前面側には、第１ケース蓋部材５３１の本体受容部６６２に受容された基板ケース支持部材６５１の本体プレート部６５２に当接可能な突起部６７２（図２１を参照）が形成されている。
【００９６】
以上のように構成されるサブ制御ユニット５００を前面扉２０の背面側に組み付けるには、まず、図２５〜図２６に示すように、画像制御基板ケース５２０の第１ケース本体部材５２１を前面扉２０の背面側に取り付ける。このとき、ネジ等の固定部材（図示せず）を第１ケース本体部材５２１のケース取付部５２２に挿通させて前面扉２０に固定する。これにより、第１ケース本体部材５２１の前面開口部が画像表示装置３０に塞がれて、第１ケース本体部材５２１の前面側に、第１ケース本体部材５２１と画像表示装置３０の背面とに囲まれて冷却風通過路５２７が形成される。
【００９７】
次に、ヒートシンク部材５４１を第１ケース本体部材５２１の放熱プレート取付部５２５に取り付ける。このとき、ヒートシンク部材５４１の放熱フィン５４３を第１ケース本体部材５２１の放熱フィン挿通穴５２６に挿通させて、ヒートシンク部材５４１の放熱プレート５４２の縁部に放熱プレート取付部５２５の爪部を係止させる。また、冷却ファン５５６を第１ケース本体部材５２１の冷却ファン受容部５２８に受容させて取り付けるようにする。
【００９８】
次に、ヒートシンク部材５４１の放熱プレート５４２の背面に放熱シート５５１を重ねて接合させる。なおこのとき、画像制御基板５０１の取り付け時に、画像制御基板５０１の画像制御ＣＰＵ５０２が重なるように放熱シート５５１を配置する。
【００９９】
次に、画像制御基板５０１を第１ケース本体部材５２１の基板支持部５２３に取り付け固定する。これにより、ヒートシンク部材５４１の放熱プレート５４２と画像制御基板５０１の画像制御ＣＰＵ５０２との間に放熱シート５５１が挟まれる状態で、画像制御基板５０１が基板支持部５２３に支持される。
【０１００】
次に、図２７に示すように、第１ケース蓋部材５３１を第１ケース本体部材５２１に取り付ける。このとき、ネジ等の第１蓋固定部材５５９を第１ケース蓋部材５３１の蓋取付穴５３２に挿通させて第１ケース本体部材５２１の蓋支持部５２４に固定する。これにより、第１ケース本体部材５２１と第１ケース蓋部材５３１とに囲まれた画像制御基板ケース５２０の収容空間に、画像制御基板５０１、ヒートシンク部材５４１、冷却ファン５５６等が収容される。
【０１０１】
次に、予めサブ制御基板５０６を収容して組み立てられたサブ制御基板ケース５６０を画像制御基板ケース５２０に連結させる。このとき、図２４および図２８（ａ）に示すように、連結機構６００の第１ヒンジ軸６０１を第１軸係合部６１１に挿入して係合させ、この状態で第２ヒンジ軸６０２を第２軸係合部６１２に係合させる。これにより、サブ制御基板ケース５６０が画像制御基板ケース５２０の背面側に揺動自在に連結される。
【０１０２】
次に、軸カバー部材６３１をサブ制御基板ケース５６０における第２ケース本体部材５６１の右上部背面側に取り付ける。このとき、ネジ等のカバー固定部材（図示せず）を軸カバー部材６３１のカバー取付穴部６３４に挿通させて第２ケース本体部材５６１のカバー取付ボス５６４に固定する。また、カバー封止部材６３６をカバー取付穴部６３４に挿入して係合させ、カバー固定部材が挿通されたカバー取付穴部６３４を塞いで封止する。これにより、軸カバー部材６３１が第２軸係合部６１２と第２ヒンジ軸６０２との係合部および係合部近傍を覆うように第２ケース本体部材５６１の左上部背面側に取り付け固定される。
【０１０３】
また、ケース保持機構６５０の基板ケース支持部材６５１を第１ケース蓋部材５３１に取り付ける。このとき、基板ケース支持部材６５１の第１軸部６５３を第１ケース蓋部材５３１の第１軸受容部６６１に係合させ、基板ケース支持部材６５１（本体プレート部６５２および第２軸部６５６）を第１ケース蓋部材５３１に対して略平行になるように揺動させて本体受容部６６２に受容させる。そして、サブ制御基板ケース５６０を前述の平行位置に揺動させ、第２ケース蓋部材５７１に形成された係止部６７３を基板ケース支持部材６５１の挿通穴６５５に挿通させて操作片部６５４に係止させる。
【０１０４】
このようにして、サブ制御ユニット５００が前面扉２０の背面側に組み付けられる。このとき、図２４（ａ）に示すように、ケース保持機構６５０によりサブ制御基板ケース５６０が画像制御基板ケース５２０に対して平行位置に固定保持されるため、前面扉２０に対して画像制御基板ケース５２０およびサブ制御基板ケース５６０の両方が略平行となり、サブ制御基板ケース５６０が画像制御基板ケース５２０および前面扉２０に対して傾斜した状態よりも、前面扉２０の搬送スペースを小さくすることが可能となり、サブ制御ユニット５００が組み付けられた前面扉２０を容易に搬送等することができる。
【０１０５】
従来より遊技機には、サブ制御基板（演出制御基板）で決定した演出態様に応じて画像表示装置の作動を制御する画像制御基板が設けられている。近年、視認性の高い多彩な演出を表示するため、演算能力の高いＣＰＵ（Central  Processing  Unit：中央処理装置）が用いられつつある。ＣＰＵの演算能力が高くなると、ＣＰＵからの発熱量も高くなるため、専用の冷却部品（本実施形態におけるヒートシンク部材５４１や冷却ファン５５６等）が必要となる。しかしながら、このような冷却部品を備えた基板ケースは、組み立てが煩雑となりやすい。
【０１０６】
これに対し、本実施形態によれば、第１ケース本体部材５２１の前面側に、第１ケース本体部材５２１と画像表示装置３０の背面とに囲まれて冷却風通過路５２７が形成され、ヒートシンク部材５４１の放熱プレート５４２が第１ケース本体部材５２１の背面側（内側）に設けられた放熱プレート取付部５２５に取り付けられるとともに、ヒートシンク部材５４１の放熱フィン５４３が第１ケース本体部材５２１の放熱フィン挿通穴５２６に挿通されて冷却風通過路５２７に露出するようになっている。そのため、ヒートシンク部材５４１を予め第１ケース本体部材５２１の放熱プレート取付部５２５に取り付けた状態で、放熱シート５５１等を用いて、画像制御基板５０１の画像制御ＣＰＵ５０２をヒートシンク部材５４１に対して容易に接合させることができるので、冷却部品（ヒートシンク部材５４１や冷却ファン５５６）を備えた画像制御基板ケース５２０を容易に組み立てることが可能となる。
【０１０７】
また、第１ケース本体部材５２１と画像表示装置３０の背面とに囲まれて冷却風通過路５２７が形成されるため、発熱しやすい画像表示装置３０の背面部とヒートシンク部材５４１の放熱フィン５４３とを一度に効率よく冷却することができる。また、第１ケース本体部材５２１と画像表示装置３０の背面とに囲まれた冷却風通過路５２７に、ヒートシンク部材５４１の放熱フィン５４３が露出するため、画像制御基板５０１の画像制御ＣＰＵ５０２を冷却するヒートシンク部材５４１が外部に露出しないので、ヒートシンク部材５４１と第１ケース本体部材５２１との隙間から画像制御基板５０１に不正にアクセスするような不正行為を防止することができる。
【０１０８】
前面扉２０を基体部１０に取り付けた後は、ケース保持機構６５０によりサブ制御基板ケース５６０が画像制御基板ケース５２０に対して揺動位置に固定保持される。これにより、前面扉２０を基体部１０に対して開いたときに、画像制御基板ケース５２０に対して傾斜したサブ制御基板ケース５６０の裏側（前面側）を容易に視認することができる。
【０１０９】
サブ制御基板ケース５６０を平行位置から揺動位置に揺動させるには、図２４（ｂ）に示すように、基板ケース支持部材６５１の操作片部６５４を押圧揺動操作して、第１軸部６５３を中心に基板ケース支持部材６５１を後方に向けて揺動させる。そうすると、操作片部６５４に対する係止部６７３の係止が解除され、基板ケース支持部材６５１の揺動に伴って第２軸部６５６に押圧されたサブ制御基板ケース５６０が平行位置から揺動位置に向けて揺動する。そして、サブ制御基板ケース５６０が揺動位置まで揺動すると、第２軸部６５６が第２軸受容部６７１に受容されて係止され、基板ケース支持部材６５１がサブ制御基板ケース５６０を支持する状態で停止する。これにより、サブ制御基板ケース５６０を平行位置から揺動位置まで容易に揺動させることができる。このようにして、図２０〜図２３に示すように、ケース保持機構６５０によりサブ制御基板ケース５６０が画像制御基板ケース５２０に対して揺動位置に固定保持される。
【０１１０】
このように、本実施形態によれば、サブ制御基板ケース５６０が画像制御基板ケース５２０に対して略平行に重なる平行位置およびサブ制御基板ケース５６０が当該平行位置から揺動して画像制御基板ケース５２０に対し傾斜する傾斜位置において、サブ制御基板ケース５６０を画像制御基板ケース５２０に対して固定保持可能なケース保持機構６５０が設けられている。そのため、画像制御基板ケース５２０とサブ制御基板ケース５６０との間隙部に、不正行為を行うための部品が取り付けられても、画像制御基板ケース５２０に対して傾斜したサブ制御基板ケース５６０の裏側（前面側）を容易に視認することができるので、不正行為を容易に発見することができる。
【０１１１】
また、画像制御基板ケース５２０とサブ制御基板ケース５６０との連結機構６００が、サブ制御基板ケース５６０に取り付けられて第２ヒンジ軸６０２および第２軸係合部６１２を覆う軸カバー部材６３１と、軸カバー部材６３１に形成されたカバー取付穴部６３４を封止するカバー封止部材６３６とを有していることで、サブ制御基板ケース５６０だけを不正に交換するような不正行為を容易に発見することができる。
【０１１２】
また、ケース保持機構６５０によりサブ制御基板ケース５６０が傾斜位置に固定保持された状態で、前面扉２０が基体部１０に対して開閉されることで、前面扉２０を基体部１０に対して開いたときに、画像制御基板ケース５２０に対して傾斜したサブ制御基板ケース５６０の裏側（前面側）を容易に視認することができるので、不正行為をより容易に発見することができる。
【０１１３】
上述の実施形態において、第１電飾用ＬＥＤ２１１、第２電飾用ＬＥＤ２１２、およびスピーカー照明用ＬＥＤ２１９として、マルチカラーＬＥＤが用いられているが、これに限られるものではない。例えば、第１電飾用ＬＥＤ２１１、第２電飾用ＬＥＤ２１２、およびスピーカー照明用ＬＥＤ２１９のうち少なくともいずれかを、単色のＬＥＤや、２色のＬＥＤ等としてもよい。
【０１１４】
上述の実施形態において、疑似スピーカー照明用ＬＥＤ３２１として、単色のＬＥＤが用いられているが、これに限られるものではない。例えば、疑似スピーカー照明用ＬＥＤ３２１として、２色のＬＥＤや、マルチカラーＬＥＤ等が用いられてもよい。
【０１１５】
上述の実施形態において、上部ＬＥＤ４３６として、マルチカラーＬＥＤが用いられているが、これに限られるものではない。例えば、上部ＬＥＤ４３６として、単色のＬＥＤや、２色のＬＥＤ等が用いられてもよい。
【０１１６】
上述の実施形態において、バックライトＬＥＤ４４１として、白色ＬＥＤが用いられているが、これに限られるものではない。例えば、バックライトＬＥＤ４４１として、マルチカラーＬＥＤ等が用いられてもよい。
【０１１７】
上述の実施形態において、３つの第２透光部２３３ａ〜２３３ｃが設けられているが、これに限られるものではない。例えば、第２透光部の数は、１つでも２つでもよく、任意に設定することが可能である。また、第２透光部の前面側から見た形状を文字形状にしてもよく、このようにすれば、下地に対して異なる色の文字を明瞭に発光させることが可能である。
【０１１８】
上述の実施形態において、疑似スピーカーユニット３００が前面扉２０の前面側右下部に設けられているが、これに限られるものではない。例えば、疑似スピーカーユニットは、前面扉２０の前面側左下部に、左下部スピーカーユニット６０の一部と重なるように設けられてもよく、前面扉２０の前面側におけるスピーカーユニットの近傍に設けられていればよい。
【０１１９】
上述の実施形態において、プリズム部材４１０が三角柱状に形成されているが、これに限られるものではない。例えば、プリズム部材は、五角柱状に形成されてもよく、全反射を利用してプリズム部材の側面部を視認可能に構成された多角柱状に形成されていればよい。
【０１２０】
上述の実施形態において、本発明が適用される遊技機の一例として、スロットマシンＳＭを例示して説明したが、これに限定されるものではなく、例えば、雀球遊技機や、アレンジボール機、パチンコ機などについても同様に適用し、同様の効果を得ることができる。
【符号の説明】
【０１２１】
ＳＭ  スロットマシン（遊技機）
Ｓ  ランプ空間
１０  基体部（本体部材）
２０  前面扉（開閉部材）
４０  左上部スピーカーユニット
４２  左上部スピーカー穴
４５  右上部スピーカーユニット
４７  右上部スピーカー穴
４８  光通過穴
６５  右下部スピーカーユニット
６６  振動板
６７  右下部スピーカー穴
６８  疑似スピーカー取付部
６９  導音通路
７０  リアカバー
１００  左フィーバーランプ（電飾装置）
１６０  左上部フロントカバー
１６５  左上部サイドカバー
１６６  光導入口
２００  右フィーバーランプ（電飾装置）
２１０  ランプ基板
２１１  第１電飾用ＬＥＤ（第１発光体）
２１２  第２電飾用ＬＥＤ（第２発光体）
２１９  スピーカー照明用ＬＥＤ
２２０  ランプハウスブラケット（ベース部材）
２２５  外壁部（２２５ａ  取付ボス、２２５ｂ  下部係止片）
２２８ａ  左側内壁部
２２８ｂ  右側内壁部
２２８ｃ  下側内壁部
２２９  スピーカー照明用開口部
２３０  透光部材
２３１  第１透光部
２３２  拡散面
２３３ａ  左側第２透光部
２３３ｂ  右側第２透光部
２３３ｃ  下側第２透光部
２３４ａ〜２３４ｃ  溝部
２４０  インナーカバー（ランプカバー）
２４２ａ  左側抜き穴部
２４２ｂ  右側抜き穴部
２４２ｃ  下側抜き穴部
２５０  アウターカバー（ランプカバー）
２６０  右上部フロントカバー
２６５  右上部サイドカバー
２６６  光導入口
３００  疑似スピーカーユニット
３１０  スピーカー型装飾部材
３１１  疑似スピーカー部
３２０  疑似スピーカー照明基板（照明手段）
３２１  疑似スピーカー照明用ＬＥＤ
４００  演出表示装置
４０５  プリズム保持枠
４１０  プリズム部材
４２０  液晶表示装置
４２１  液晶表示部
４２２  液晶制御基板
４３５  上部ランプ基板
４３６  上部ＬＥＤ
４４０  バックライト基板
４４１  バックライトＬＥＤ
４５０  左バックライト部
４５５  右バックライト部
５００  サブ制御ユニット
５０１  画像制御基板
５０２  画像制御ＣＰＵ
５０６  サブ制御基板（演出制御基板）
５０７  メイン制御装置用コネクタ
５１０  基板ケースユニット
５２０  画像制御基板ケース
５２１  第１ケース本体部材
５２５  放熱プレート取付部
５２６  放熱フィン挿通穴
５２７  冷却風通過路
５２８  冷却ファン受容部
５２９  冷却風排出穴
５３１  第１ケース蓋部材
５３３  冷却ファンカバー部
５４１  ヒートシンク部材
５４２  放熱プレート
５４３  放熱フィン
５５１  放熱シート
５５６  冷却ファン
５６０  サブ制御基板ケース（演出制御基板ケース）
５６１  第２ケース本体部材
５６３  蓋取付ボス
５６４  カバー取付ボス
５７１  第２ケース蓋部材
５７３  第１コネクタ露出部
５７４  第２コネクタ露出部
６００  連結機構
６０１  第１ヒンジ軸
６０２  第２ヒンジ軸
６１１  第１軸係合部
６１２  第２軸係合部
６３１  軸カバー部材
６３４  カバー取付穴部
６４６  カバー封止部材
６５０  ケース保持機構
６５１  基板ケース支持部材
６６１  第１軸受容部
６６２  本体受容部
６７１  第２軸受容部
６７２  突起部
６７３  係止部
【図１】
2014094109.tif 000003
【図２】
2014094109.tif 000004
【図３】
2014094109.tif 000005
【図４】
2014094109.tif 000006
【図５】
2014094109.tif 000007
【図６】
2014094109.tif 000008
【図７】
2014094109.tif 000009
【図８】
2014094109.tif 000010
【図９】
2014094109.tif 000011
【図１０】
2014094109.tif 000012
【図１１】
2014094109.tif 000013
【図１２】
2014094109.tif 000014
【図１３】
2014094109.tif 000015
【図１４】
2014094109.tif 000016
【図１５】
2014094109.tif 000017
【図１６】
2014094109.tif 000018
【図１７】
2014094109.tif 000019
【図１８】
2014094109.tif 000020
【図１９】
2014094109.tif 000021
【図２０】
2014094109.tif 000022
【図２１】
2014094109.tif 000023
【図２２】
2014094109.tif 000024
【図２３】
2014094109.tif 000025
【図２４】
2014094109.tif 000026
【図２５】
2014094109.tif 000027
【図２６】
2014094109.tif 000028
【図２７】
2014094109.tif 000029
【図２８】
2014094109.tif 000030